(57)【特許請求の範囲】
【請求項１】
基礎上端に複数接続されて敷き込まれることで、基礎と基礎上に構築される建造物本体との間に介在される台輪において、
複数の台輪のそれぞれは、
前記基礎の長手方向に沿って配置される台輪本体と、
この台輪本体の長手方向の両端部にそれぞれ設けられた接続部とを備え、
前記台輪本体の両端部の接続部には、それぞれ嵌合部と当該嵌合部に嵌合可能な形状の被嵌合部とが幅方向に並んで配置され、
前記両接続部の嵌合部と被嵌合部は、長手方向に隣接する他の台輪本体の接続部の被嵌合部と嵌合部に幅方向へ移動しないようにそれぞれ嵌合して接続するように構成されており、
前記嵌合部と前記被嵌合部との形成位置が前記台輪本体の長手方向の向きを逆にしても接続可能となっていること
を特徴とする台輪。
【請求項２】
請求項１記載の台輪において、
前記嵌合部は台輪本体の上下方向に延在する溝部を備え、
前記被嵌合部は前記溝部に嵌る突部を備えること
を特徴とする台輪。
【請求項３】
請求項１又は２に記載の台輪において、
前記台輪本体には、換気孔が前記台輪本体の幅方向に貫通するようにして形成されていること
を特徴とする台輪。
【請求項４】
請求項１〜３のいずれかに記載の台輪が基礎上端に基礎の長手方向に沿って複数接続されて敷き込まれ、基礎と基礎上に構築される構造物本体との間に介在された台輪の設置構造であって、
隣接する台輪どうしは接続部どうしを嵌合することで接続され、
嵌合した接続部のうちの一方が前記基礎に固定されていること
を特徴とする台輪の設置構造。
【請求項５】
基礎上端に請求項１〜４のいずれかに記載の台輪が基礎の長手方向に沿って複数接続して敷き込まれ、これら複数の台輪を隣接する台輪の接続部どうしが互いに嵌合し接続された状態で、基礎上に設置する台輪の設置方法であって、
嵌合する接続部のうちの一方を前記基礎上面に固定すること
を特徴とする台輪の設置方法。
【発明の詳細な説明】
【０００１】
【発明の属する技術分野】
本発明は、基礎上端に敷き込まれて、基礎と基礎上に構築される建造物本体との間に介在される台輪に関し、詳細には隣接して配置される他の台輪と接続可能な接続部を備えた換気孔付き台輪、台輪の設置構造及び設置方法に関する。
【０００２】
【背景の技術】
一般に建造物を構築する場合、地盤上に基礎を構築し、その基礎上に上部構造である建造物本体を構築する。上部構造からの荷重は下部構造である基礎によって地盤に伝えられる。
この例を框材を枠組みするとともに、その間に補強桟材を組み付けて成る枠体の、両面または片面に面材を取り付けて形成した床パネル、壁パネルおよび屋根パネルなどの建築用パネルを組み立てることにより建造物本体を構築する木質パネル工法を例にとって説明する。
まず地盤上に布基礎、独立基礎などの基礎を構築し、次に基礎上に複数の床パネルを敷設し、床パネル端部外方側に半土台を取り付けて床部を構成する。そして、床部上に複数の壁パネルを立設して、基礎から突出し床パネルおよび半土台を挿通するアンカーボルトにて壁パネルを固定して壁部を構築し、さらにこの壁上に複数の屋根パネルを敷設して屋根部を構築するようにしている。
【０００３】
ここで、基礎上端に木質の床パネルを直接敷き込む際、基礎上端の平坦面の確保、基礎上端の透水防止を目的として、本出願人などにより、図１６に示すようなプラスチック製の台輪１１０を基礎上端に敷き込み、この台輪１１０を介在させて、基礎上端に床パネルを敷設していく提案（例えば特開平８−７４３６７号公報「台輪および台輪を介在させた床パネルの敷設方法」）がされている。台輪１１０は、図１６に示すように、所定間隔をおいて複数形成されたアンカーボルト挿通用の貫通穴１１５を有する梯子状の形状をしている。
【０００４】
【発明が解決しようとする課題】
ところで、上記特開平８ー７４３６７号公報に示す台輪１１０では、基礎上端に複数並べて敷き込む際に、基礎上面に並べられた台輪はそれぞれ基礎上で動かないように、１ピース毎に両端部等の離間した箇所を釘で基礎に止着する必要がある。
よって、台輪を基礎上面に固定する際に、台輪毎に２カ所釘を打ち込む作業を減らすことで作業の容易化及び工期の短縮化を図ろうという要望があった。
【０００５】
本発明は、上記問題点に鑑みなされたものであって、その課題は、基礎上端に隣接して設置される複数の台輪の設置作業を容易に行うことができる台輪、台輪の設置構造及び設置方法を提供することである。
【０００６】
【課題を解決するための手段】
以上の課題を解決するため、請求項１記載の発明は、基礎上端に複数接続されて敷き込まれることで、基礎と基礎上に構築される建造物本体との間に介在される台輪において、例えば、図１及び図２に示すように、
複数の台輪１のそれぞれは、
前記基礎７の長手方向に沿って配置される台輪本体２と、
この台輪本体２の長手方向の両端部にそれぞれ設けられた接続部３，３とを備え、
前記台輪本体２の両端部の接続部３，３には、それぞれ嵌合部３２と当該嵌合部３２に嵌合可能な形状の被嵌合部３１とが幅方向に並んで配置され、
前記両接続部３，３の嵌合部３２と被嵌合部３１は、長手方向に隣接する他の台輪本体２の接続部３の被嵌合部３１と嵌合部３２に幅方向へ移動しないようにそれぞれ嵌合して接続するように構成されており、
前記嵌合部３２と前記被嵌合部３１との形成位置が前記台輪本体２の長手方向の向きを逆にしても接続可能となっていることを特徴とする。
【０００７】
前記接続部３は、長手方向に隣接する他の台輪本体の接続部に嵌合して接続した際、幅方向に移動しないように形成されていれば、どのような形状でもよい。
例えば、一方の接続部に上下に延在する溝部を設け、他方の接続部に上下に延在し且つ前記溝部に嵌合する突部が設けられた形成してもよい。このように形成すれば、隣接して接続される台輪どうしを、一方の台輪の凸状の接続部に、他方の台輪の凹状の接続部を嵌合することにより接続することができ、これら接続された台輪どうしは互いに幅方向に移動することがなくなる。
【０００８】
請求項１記載の発明によれば、基礎上端に複数接続されて敷き込まれる台輪１のそれぞれの接続部３，３が、長手方向に隣接する他の台輪本体２の接続部３，３に、幅方向へ移動しないように嵌合して接続するように形成されているので、前記基礎上端に複数接続して敷き込んだ際に、隣接する台輪どうしが互いに接続部３，３で嵌合して接続され、互いに幅方向に移動することがなくなる。
したがって、前記基礎７上端に複数連続して敷き込まれた際に、嵌合して接続された接続部３，３の一方の接続部３を基礎上に固定するだけで、前記一方の接続部に嵌合して接続された他方の接続部３も前記基礎７に固定することができる。つまり、隣接する台輪の接続部どうしを嵌合して接続した状態で複数の台輪を前記基礎上に接続して敷き込んだ際に、嵌合して接続される接続部どうしにおいて一方の接続部を固定するだけで、敷き込まれた複数の台輪それぞれを幅方向に動かないように固定することができる。
よって、基礎上に台輪を複数敷き込んで設置する際に、従来と異なり、敷き込まれた複数の台輪を台輪毎に基礎に固定する作業、つまり複数の台輪毎に２カ所釘を打ち込んで基礎に固定する作業の必要が無くなり、台輪の敷き込み作業の容易化及び工期の短縮化を図ることができる。
【００１０】
前記接続部３としては、例えば、一方の接続部を、開口部が上下に延在する凹状に形成し、他方の接続部を上下に延在し且つ前記凹状の接続部と嵌合する凸状に形成してもよい。このように形成すれば、隣接して接続される台輪どうしを、一方の台輪の凸状の接続部に、他方の台輪の凹状の接続部を嵌合することにより接続することができ、これら接続された台輪どうしは互いに幅方向に移動することがなくなる。
【００１１】
また、前記台輪本体２の両端部の一方の接続部３には嵌合部３１が設けられ、他方の接続部３には、前記嵌合部３１に嵌合可能な形状の被嵌合部３２が設けられているので、請求項１記載と同様の効果を得ることができるとともに、基礎上端に複数接続して敷き込む際に用いる台輪を全て同じ形状の台輪とし、それぞれを接続する際に、前記嵌合部と前記被嵌合部とを嵌合して、前記複数の台輪を前記基礎上に幅方向に移動しないように接続することができる。
したがって、基礎上に複数敷き込む際に、同一形状の台輪を複数用意すればよく、接続部が異なる異形状の台輪を制作する必要が無くなり、コストの低廉化を図ることができる。
【００１３】
さらに、前記台輪本体の両端部の接続部３，３には、長手方向に隣接する他の台輪本体２の接続部３の被嵌合部３１と嵌合部３２にそれぞれ嵌合して接続する前記嵌合部３２と前記被嵌合部３１とが幅方向に並んで配置されているので、台輪の接続部３に他の台輪の両接続部のうちのどちらでも嵌合部と被嵌合部とを嵌合接続することで、台輪どうしを接続することができる。
【００１４】
請求項２記載の発明は、請求項１記載の台輪において、例えば、図２及び図７に示すように、
前記嵌合部３２は台輪本体の上下方向に延在する溝部３２ａを備え、
前記被嵌合部３１は前記溝部３２ａに嵌る突部３１ａを備えることを特徴とする。
【００１５】
前記突部は、前記溝部に嵌合する構成であれば、どのように構成されていてもよく、例えば、台輪本体の上下方向に延在し、且つ前記溝部に嵌る突条部としてもよい。
【００１６】
請求項２記載の発明によれば、請求項１記載の発明と同様の効果を得ることができるとともに、前記嵌合部３２は台輪本体２の上下方向に延在する溝部３２ａを備え、前記被嵌合部３１は前記溝部３２ａに嵌る突部３１ａを備えるので、前記嵌合部３２と被嵌合部３１とが嵌合した際に、前記溝部３２ａに前記突部３１ａが嵌合して、これら溝部３２ａ及び突部３１ａを有する嵌合部３２及び被嵌合部３１の一方に対する幅方向の移動が抑止される。
よって、前記嵌合部３２に、台輪本体２の上下方向に延在する溝部３２ａを形成し、前記被嵌合部３１に前記溝部３２ａに嵌る突部３１ａを形成するだけで、つまり、簡易な構造で、接続部どうしを接続して基礎上に複数の台輪１を接続した際に、台輪１を幅方向に移動しないように接続することができる。
【００１７】
請求項３記載の発明は、請求項１又は２に記載の台輪において、例えば、図１〜図３に示すように、
前記台輪本体２には、換気孔４が前記台輪本体２の幅方向に貫通するようにして形成されていることを特徴とする。
【００１８】
請求項３記載の台輪によれば、請求項１又は２と同様の効果が得られるとともに、台輪本体２をその幅方向に貫通する換気孔４によって換気を行うことができるため、通常は基礎部分に設けられる床下換気孔を省略することができる。よって、基礎工事の手間が簡略化される。
【００１９】
請求項４記載の発明は、請求項１〜３のいずれかに記載の台輪が基礎上端に基礎７の長手方向に沿って複数接続されて敷き込まれ、基礎７と基礎上に構築される構造物本体９との間に介在された台輪１の設置構造であって、例えば、図５に示すように、
隣接する台輪１どうしは接続部３どうしを嵌合することで接続され、
嵌合した接続部３のうちの一方が前記基礎７に固定されていることを特徴とする。
【００２０】
請求項４記載の発明によれば、請求項１〜３のいずれかに記載と同様の効果を得ることができるとともに、隣接する台輪１どうしは接続部３どうしを嵌合することで接続され、嵌合した接続部３のうちの一方３が前記基礎に固定されているので、嵌合した接続部３のうちの他方が基礎に固定された状態となっている。
したがって、従来と異なり、基礎７上に複数接続されて敷き込まれたそれぞれの台輪を別個に基礎に固定する必要がなくなり、台輪の設置作業を容易に且つ短期間で行うことができる。
【００２１】
請求項５記載の発明は、基礎７上端に請求項１〜３のいずれかに記載の台輪１が基礎の長手方向に沿って複数接続して敷き込まれ、これら複数の台輪１を隣接する台輪１の接続部３どうしが互いに嵌合し接続された状態で、基礎７上に設置する台輪の設置方法であって、例えば、図５に示すように、
嵌合する接続部３のうちの一方を前記基礎７上面に固定することを特徴とする。
【００２２】
請求項５記載の発明によれば、基礎７の長手方向に沿って複数接続して敷き込まれた台輪１どうしの嵌合する接続部３のうちの一方を前記基礎７上面に固定するので、前記一方の接続部３を基礎７上面に固定する（例えば、スクリュー釘１１により固定する）ことができるとともに、前記一方の接続部３に幅方向に移動しないように嵌合して接続された他の接続部３を固定することができる。
したがって、基礎７上面に複数の台輪１を接続して敷き込み、これら台輪１を基礎７上面に固定する際に、従来と異なり、台輪１毎に、それぞれ台輪１の両端部を釘などで基礎に固定する作業を行う必要がなく、接続された台輪のそれぞれにおいて一方の接続部３のみを固定することで、容易且つ短期間で接続された複数の台輪１をそれぞれ幅方向に動かない状態で基礎に設置することができる。
【００２３】
【発明の実施の形態】
以下、図を参照して本発明の実施の形態を詳細に説明する。
以下に、本発明に係る台輪の実施の形態例を図１〜図１５に基づいて説明する。
【００２４】
先ず、図１〜図３は本発明の台輪の一実施の形態例を示すものであって、図１（ａ）は本例の台輪１の平面図であり、図１（ｂ）は同台輪１の側面図、図１（ｃ）は同台輪１の正面図である。また、図２（ａ）は同台輪の両端の接続部を示す図であり、図１（ｃ）のＡ−Ａ線断面図、図２（ｂ）は同台輪の両端の接続部の拡大側面図である。さらに、図３（ａ）は、台輪本体に設けられた釘孔の側断面図、図３（ｂ）は換気孔の縦断面図である。
【００２５】
図１〜図３に示す台輪１は、後述する基礎上端に敷き込まれて、基礎と基礎上に構築される建造物本体との間に介在され（図４参照）、台輪本体２と、この台輪本体２の長手方向両側にそれぞれ形成された接続部３，３と、台輪本体２に、台輪本体２の長手方向に沿って、台輪本体２の幅方向に貫通するように所定間隔を開けて設けられた換気孔４等とを備える。なお、換気孔４は、台輪１の両側面１ａ，１ｂに面した開口部４１と、開口部４１に連通し台輪本体２内を貫通する換気通路部４２とを有し、換気孔４の開口部４１は、開口縁に向かって、つまり台輪１の両側面１ａ，１ｂに向かって拡がるように形成されている。
また、換気孔４の断面形状は四角形状、ここでは縦長の長方形となっている。
このように換気孔４の断面形状が四角形状であるので、換気孔４を上下幅が同じの断面円状に形成した構成より、角部分の通気量が多くなり、その分の換気効率の向上を図ることができる。
【００２６】
詳細には、台輪本体２は、長尺板状に形成され、後述する基礎（図４〜図６中、符号７で示す）の長手方向に沿って配置されるものである。
また、台輪本体２は、台輪１の上下面を構成し、互いに離間して対向するように配置された板状の上面部材２１及び下面部材２２と、これら上下面部材２１，２２の間で、且つ上下面部材２１，２２に直交するように設けられた複数の仕切り壁部２３と、前記台輪本体２を基礎（図４〜図６で示す基礎７）に固定する釘孔５と、台輪本体２の長手方向に細長い形状に形成されたアンカーボルト挿通用の貫通穴６等とを備える。
【００２７】
複数の仕切り壁部２３は、複数の換気孔４の間に配置された状態となり、互いに平行に離間している。つまり、仕切り壁部２３は複数の換気孔４を仕切っており、それぞれの側面２３１で上下面部材２１，２２の内側面ととも換気孔４を囲む周壁面を形成している。
これら仕切り壁部２３において台輪本体２の幅方向側の端部２３ａ、つまり換気孔４の開口部４１を構成する部位２３ａには、仕切り壁部２３の側面２３１から端部２３ａの先端２３ｃに向かって下るテーパ部１５が設けられている。これにより仕切り壁部２３の端部２３ａは先端２３ｃに向かって先細りとなるように構成されている。
【００２８】
また、上下面部材２１，２２において換気孔４の開口部４１を構成する部位２１ａ，２２ａ（仕切り壁部２３の端部２３ａとともに四辺部を構成）には、換気孔４が台輪本体２の両側面１ａ，１ｂの開口縁に向かって拡がるように、それぞれ内側面２１ｂ，２２ｂから外側面２１ｃ，２２ｃに向かって下るテーパ部１６が設けられている。
これら上下面部材２１，２２及び仕切り壁部２３に設けられたテーパ部１５，１６によって換気孔４の両側の開口部４１の外径（側面１ａ，１ｂに面する開口縁の径）Ｂは換気通路部４２の径Ｃより広くなっており、換気通路部４２との接続部分から台輪側面１ａ，１ｂに向かって上下左右方向に漸次拡がるように形成されている。つまり換気孔４の開口縁の径Ｂは、換気通路部４２の径Ｃより大きくなっている。
【００２９】
釘孔５は、図３（ａ）に示すように、釘を挿通させることで基礎上に配置された台輪を固定するものであり、台輪１の接続部３近傍の台輪本体２部分において、長手方向に並ぶ換気孔４の間で、台輪本体２の上下面と仕切り壁部２３を上下に貫通するように形成されている。
この釘孔５は、上下面部材２１，２２に設けられ、釘の頭の厚みより深く且つ釘の頭より径が大きい座掘部５１と、換気孔４の間で仕切り壁部２３を貫通し、座掘部５１に連通し、座掘部５１より径が小さく釘本体が挿通される挿通部５２とを備える。
つまり、座掘部５１は釘孔５の開口縁部に形成された状態となっており、台輪１の上面側から釘を挿通させて台輪１を基礎に固定した際に、釘の頭は、座掘部５１の底面で係止された状態で座掘部５１内に収まり台輪本体２の上面から突出しないようになっている。
【００３０】
また、座掘部５１は、釘孔５の両開口縁部、具体的には上下面部材２１，２２の外面側にそれぞれに形成されているので、台輪１を設置する際に、上下を逆にして設置した場合でも、上下を逆にしない場合と同様に、釘孔５に釘を挿通させて台輪１を基礎に固定することができる。
また釘孔５は、台輪本体２において、複数設けられている貫通穴６を挟むように、該貫通穴６の両側に沿って台輪１の延在方向に所定間隔を開けて、２列に並んで設けられている。
アンカーボルト用貫通穴６は、基礎と構造物本体とを接合するアンカーボルト１０（後述する：図４、図５参照）を挿通可能なものであり、平面視長穴状に径形成され、台輪本体２の長手方向に沿って所定間隔を開けながら、台輪本体を鉛直方向に貫通するようにして、複数箇所形成されている。
そして、この貫通穴６は、長穴状の範囲内において、どの位置にでもアンカーボルト１０を挿通することができ、これによりアンカーボルト１０が立設された基礎の上面に台輪１を設置する際に、該台輪１の長手方向の位置設定作業を自由に行うことができる。
【００３１】
前記台輪本体２の両端部に設けられた接続部３は、互いに接続可能に構成されており、台輪１を長手方向に連続して嵌合して接続される形状となっている。
また、接続部３には、互いに嵌合可能な形状の被嵌合部３１と嵌合部３２とが幅方向に並んで設けられている。
被嵌合部３１は、台輪１の長手方向に向かって突出するように設けられ、台輪１の上下方向に延在する突条部（突部）３１ａを備える。
また、嵌合部３２は、台輪の上下方向に延在し、前記突条部３１ａが嵌るように形成された溝部３２ａを備える。
台輪１では、一方の接続部３の被嵌合部３１と同一直線上に他方の接続部３の嵌合部３２が配置され、一方の接続部３の嵌合部３２と同一直線上に他方の接続部３の被嵌合部３１が配置されている。
つまり、接続部３に設けられている被嵌合部３１と嵌合部３２は、基礎上面において同形状の台輪１どうしを接合する際に、隣接する他の台輪１の接続部３の嵌合部３２と被嵌合部３１にそれぞれ嵌合して接続され、台輪１どうしを同一直線上に延在するように接続可能な（図５参照）ものである。
【００３２】
このように構成された台輪１によれば、同形状の台輪１を長手方向に接続する際に、一方の接続部３の被嵌合部３１が他方の接続部３の嵌合部３２と、また、一方の嵌合部３２が他方の被嵌合部３１と嵌合する。そして、これら被嵌合部３１と嵌合部３２とが嵌合することにより、突条部３１ａと溝部３２ａとが嵌合し、基礎上において一方の台輪が他方の台輪に対して台輪の幅方向への移動が抑制される。
また、基礎上面に複数接続して敷き込む際に、接続部を介して接合される一方の台輪１の接続部に他の台輪の接続部が対応しない場合でも、上下面を変更してこれら接続部どうしを嵌合接続することができる。よって、台輪１の設置作業の際に、先に基礎に固定された台輪１の接続部に対応させて、他の台輪の接続部を前記固定された台輪の接続部に嵌合して接続することができる。
【００３３】
また、この台輪１の上下面には、幅方向の中心で且つ、台輪の延在方向と平行な線を示すマーキングＭ（図１参照）が施され、台輪１の幅の中心位置が確認できるようになっている。
【００３４】
この実施の形態における台輪１では、全長約９１６ｍｍ、台輪の両端部に延在方向と平行な直線上にそれぞれ配置された突条部３１ａの突出長さの半分の部位から溝部３２ａの深さの半分の部位までの長さが９１０ｍｍ、上下面部材２１，２２の厚み５ｍｍ、仕切り壁部２３の厚み４ｍｍ、換気孔４の開口部４１の左右幅（台輪の長手方向と平行な長さ）１１ｍｍ、換気孔４の換気通路部４２の左右幅７ｍｍとなっている。また、台輪１の上下の厚みは２４ｍｍや３０ｍｍとし、厚みが２４ｍｍの場合、換気孔４の開口部４１の上下の長さは１８ｍｍ、換気通路部４２の上下の長さは１４ｍｍとなる。換気通路部４２の左右幅が７ｍｍであるので、この換気孔４を介して外部から内部に子ハツカネズミが侵入することを防止できる。これは一般的に子ハツカネズミの頭の大きさが８ｍｍであるためである。
このような寸法で形成されていることにより台輪１ピース、全長約９１６ｍｍで、表面の換気開口面積１３６ｃｍ2、換気通路部４２の断面積８０．３６ｃｍ2となっている。よって、台輪１どうしを接続し、台輪本体の長さ４ｍあたりの有効換気面積が３００ｃｍ2以上となり、台輪１を基礎上記敷き込んだ際に、台輪１上部に設けられる構造物の長手方向の長さ４ｍ以下において、有効換気口面積３００ｃｍ2以上の面積を得ることができる。
【００３５】
図４は、台輪１が基礎上端に敷き込まれて、基礎と基礎上に構築される建造物本体との間に介在された状態を示す図である。なお、この構造物本体（住宅）は、壁パネルにより壁が構築され、床パネルにより床が構築され、屋根パネルにより屋根が構築されており、いわゆるパネル工法で構築された耐力壁構造の住宅となっている。
図４に示すように、台輪１の上部には、建物の１階の床部８を構成する床パネル８１の端部８１ａと、該床パネル８１ａの側端面に当接するように配置された半土台８２とが載置され、床パネル８１の端部８１ａ及び半土台８２の上部には１階の壁部９を構成する壁パネル９１が立設されている。
この床パネル８１の端部８１ａ及び半土台８２には、アンカーボルト１０が挿通され、このアンカーボルト１０は壁パネル９１の下端部９１ａに止着されている。これにより壁パネル９１及び基礎７どうしは、該壁パネル９１及び基礎７の間で、台輪１、半土台８２及び床パネル８１の端部８１ａを挟持した状態で固定される。
【００３６】
また、台輪は、図５〜図８に示すように基礎上面に基礎の長手方向に沿って複数が接続された状態で敷き込まれている。
図５〜図７に示すように、基礎７上端に複数接続されて敷き込まれることで、基礎と基礎上に構築される建造物本体との間に介在される台輪１では、それぞれ接続部３が、長手方向に隣接する他の台輪本体２の接続部３に、幅方向へ移動しないように嵌合し接続されている。
つまり、嵌合して接続された接続部３の嵌合部３２と被嵌合部３１は、溝部３２ａに突条部３１ａが嵌ることで、長手方向に隣接する他の台輪本体２の接続部３の被嵌合部３１と嵌合部３２にそれぞれ嵌合して接続されている。
また、嵌合した接続部３のうちの一方がスクリュー釘１１により前記基礎７に固定されている。
【００３７】
上記構造によれば、台輪１には、台輪本体２をその幅方向に貫通する換気孔４が設けられ、この換気孔４によって換気を行うことができるため、通常は基礎部分に設けられる床下換気孔を省略することができる。よって、基礎工事の手間が簡略化される。
また、隣接する台輪１どうしは接続部３どうしを嵌合することで接続され、嵌合した接続部３のうちの一方３が前記基礎に固定されているので、嵌合した接続部３のうちの他方が基礎に固定された状態となっている。したがって、従来と異なり、基礎７上に複数接続されて敷き込まれたそれぞれの台輪を別個に基礎に固定する必要がなくなり、台輪の設置作業を容易に且つ短期間で行うことができる。
【００３８】
このように基礎上面に複数接続して敷き込まれた台輪は図８に示すように、構築される構造物基礎の全周に設けられており、台輪本体２の長さ４ｍあたりの換気孔４の換気有効面積が３００ｃｍ2以上となっている。なお、この構造物本体のようにパネル工法を用いた住宅の構築においては、住宅をモジュール設計するとともに、パネルのサイズの規格をモジュールに対応したものとすることにより、規格外の部材をあまり必要とせず、現場作業の効率化を図ることができる。モジュールとは建築のあらゆる部分を一定の大きさの倍数関係に整えようとするときの基準となる寸法をいう。平面計画上のモジュール寸法は９１０ｍｍであり、立面計画上のモジュール寸法は１５１ｍｍである。
この実施の形態における台輪は上述したように９１０ｍｍでモジュールに対応しており、台輪の備えるアンカーボルト挿通穴６は、図８に矢印で示す基礎に設けられるアンカーボルトの設置位置がクォーターモジュール（２２７．５ｍｍ）のラインから１２５ｍｍの位置であることに対応して形成されている。つまり、台輪は、モジュール寸法に基づいて形成された基礎に対応して形成された寸法を有するので、前記基礎上に複数接続して敷き込んでも（図８に示すように基礎の角部に設置する際には追い回しで台輪を設置する等）アンカーボルトの干渉がなく、貫通穴にアンカーボルトを挿通させた状態で、すっきりと設置できるようになっている。
【００３９】
次に、台輪の設置方法を図９を参照して説明する。
図９は、基礎上に台輪を設置した状態を示す図である。
図９に示すように、構築された基礎７の外側面に一方の側面が基礎の略面一となるようにして台輪１を基礎７上面に長手方向に沿って複数配置する。
このとき、隣接する台輪１どうしはそれぞれの接続部３どうし、つまり突条部３１ａと溝部３２ａとが嵌り合うことで接続され、これら突条部３１ａと溝部３２ａとが嵌り合うことで隣接する台輪１どうしは幅方向への移動が抑止された状態となる。なお、台輪１を基礎７上に配設する際、貫通穴６に、基礎７の所定の位置に所定間隔を開けて上方に突出するように設けられたアンカーボルト１０が挿通されるようにする。
【００４０】
このように配置された台輪１を、台輪本体２において基礎７の内側の釘孔５に釘１１を打ち込むことより基礎７上面に固定する。これら釘１１は台輪１ピースごとに、長手方向の一方の端部側、ここでは台輪本体２の右側の端部で一本づつ打ち込む。これにより、それぞれの接続部３，３が嵌合して接続されていることによって接続されている隣接配置された台輪１，１どうしの一方の接続部３を釘１１で固定することで、接続部３，３どうしは互いに幅方向へ移動を抑止した状態となる。
【００４１】
つまり、基礎７の長手方向に沿って複数接続して敷き込まれた台輪１どうしの嵌合する接続部３のうちの一方を前記基礎７上面に固定するので、一方の接続部３を基礎上面に固定することができるとともに、一方の接続部３に幅方向に移動しないように嵌合して接続された他の接続部３を固定することができる。
したがって、基礎７上面に複数の台輪１を接続して敷き込み、これら台輪を基礎上面に固定する際に、従来と異なり、台輪１ピース毎に、それぞれ台輪１の両端部を釘などで基礎に固定する作業を行う必要がなく、その作業の分、基礎に複数の台輪を連続して容易に且つ短期間で敷き込んで設置することができる。
【００４２】
なお、基礎上に複数接続して敷き込まれ固定される台輪は、接続部どうしを嵌合して接続した状態で、基礎上のそれぞれの所定の位置に敷き込んだ後、釘にて複数の台輪のそれぞれを基礎に固定してもよく、また、１ピースずつ基礎上に配置し、配置した台輪の一方の接続部を固定し、この固定された接続部に、他の台輪の接続部を嵌合することにより基礎の長手方向に台輪を接続していくことで基礎上に設置してもよい。
【００４３】
また、台輪１を基礎７上に配置する際に、台輪１に、台輪１の幅の中心部分を示すマーキングＭが施してあるので、台輪１の中心線を位置させるための墨打ちＳを基礎７上面に施した場合に、台輪１のマーキングＭ部分を墨打ちに合わせて台輪１を容易に且つ正確に設置することができる。
さらに、台輪本体２には、アンカーボルトを挿通させるための貫通穴６が、台輪本体の長手方向に沿って所定間隔をおきながら、台輪本体２を鉛直方向に貫通するようにして、複数箇所形成されているので、アンカーボルト１０の突出している部位の基礎上に台輪１を設置する際、前記複数の貫通穴６のうち、適当な位置の貫通穴６を選んでアンカーボルト１０を挿通させることにより、台輪１の設置位置を調整することができる。なお、アンカーボルト１０は、墨打ちＳ上に配置されており、台輪本体２を設置する際に、貫通穴６に通して台輪本体２の所定の位置に配置するための案内となる。
また、台輪１を基礎上に設置した後、台輪１のマーキングＭが、該台輪１上に設置する床パネル（図４参照）等の構造物本体を設置する際の位置だし墨となり、これにより構造物本体を構成する床パネルを正確に設置することができる。
【００４４】
上記台輪１によれば、基礎７の長手方向に沿って配置される台輪本体２をその幅方向に貫通する換気孔４がその開口縁に向かって拡がるように形成されているので、台輪本体２の幅方向からの風を多く取り込むことができ、換気孔４の通気量を多くすることができる。
したがって、一般的に基礎部分に設けられる床下換気孔を省略することができ、基礎工事の手間を簡略化することができるとともに、基礎７を挟む空間の通気量を多くして、上部に構造物本体が設けられる基礎７の内側と外側の換気効率を高くして円滑な換気を行うことができる。
【００４５】
さらに、換気孔４の両端の開口部を構成する部位（四辺部）２１ａ，２２ａ，２３ａには、それぞれテーパ部１５，１６が設けられているので、四辺部２１ａ，２２ａ，２３ａの一辺から三辺にテーパ部を設けた場合より、換気孔４の通気量が多くなり、該換気孔４の換気効率の向上を図ることができる。
【００４６】
また、両開口縁部に座掘部５１が形成されている釘孔５が、換気孔４の間を貫通して設けられているので、基礎７上に台輪本体２を敷き込んで、釘孔５から釘１１を挿通し、釘１１の頭が座掘部５１に収容された状態で基礎７に確実に固定させることができる。また、台輪本体２の上下を逆にして基礎７上に設置した場合でも、釘孔５に釘１１を挿通させて、座掘部５１内に釘１１の頭を収容することができる。さらに、台輪本体２において換気孔４と釘孔５とが連通することがないので、釘孔５により換気効率を減少させることがない。
加えて、換気孔４の開口部４１の有効換気面積が台輪本体の長さ４ｍあたり３００ｃｍ2以上であるので、換気孔４により必要十分な換気量を確保することができる。
【００４７】
＜変形例＞
上記台輪１は、換気孔４の開口部４１の上下左右の縁部にテーパ部１５，１６が設けられている構成（図２（ａ）及び図３（ｂ）等参照）としたが、図１０〜図１４に示すように、換気孔の開口部を左右で仕切る台輪本体の両側面のみに形成されていてもよい。
【００４８】
この台輪１Ａは、上下面部材２１Ａ，２２Ａの開口縁部の構成のみ異なりその他の構成は台輪１と同様に構成されているので同符号を付して説明は省略する。
つまり、この台輪１Ａは、台輪１と同様に、基礎上端に敷き込まれて、基礎と基礎上に構築される建造物本体との間に介在されるものであり、台輪本体２Ａと、この台輪本体２Ａの長手方向両側にそれぞれ形成された接続部３，３と、台輪本体２Ａに、台輪本体２Ａの長手方向に沿って、台輪本体２の幅方向に貫通するように所定間隔を開けて複数設けられた換気孔４Ａ等とを備える。
換気孔４Ａは、台輪１Ａの上下面を構成し、互いに離間して対向するように配置された上下面部材２１Ａ，２２Ａと、これら上下面部材２１Ａ，２２Ａ間に、直交するように設けられた仕切り壁部２３とで、縦長の断面長方形状をなすように形成されている。
【００４９】
また、この換気孔４Ａは、左右の仕切り壁部２３の端部に形成されたテーパ部１５Ａにより開口縁に向かって拡がるように形成された開口部４１Ａと、開口部４１Ａに連通し台輪本体内を貫通する換気通路部４２Ａとを有している。側面から見ると換気孔４Ａでは、開口部４１Ａは、換気通路部４２Ａから開口縁に向かって左右に拡がるように形成されている。
このように台輪１Ａの備える換気孔４Ａが、開口縁に向かって拡がるように形成されているので、上述した台輪１と同様の効果を得ることができる。つまり、台輪本体２の両側面において、換気孔の開口部４１Ａ間に当たる風を換気孔内に導き、換気効率を向上させ、台輪に仕切られる空間どうし（基礎７の内側と基礎７の外側）間の通気性の向上を図ることができる。
【００５０】
＜変形例２＞
図１３及び図１４は本発明に係る台輪の実施の形態の変形例を示す。
図１３及び図１４に示す台輪１Ｃは、上述したものと同様の基礎上端に長手方向に沿って敷き込まれて、基礎と基礎上に構築される建造物本体との間に介在されるものであり、台輪本体６０と、この台輪本体の長手方向両側にそれぞれ形成された接続部３Ａ，３Ａと、台輪本体６０に台輪本体６０の長手方向に沿って台輪本体６０の幅方向に貫通するように所定間隔を開けて設けられた換気孔４Ｂ等とを備える。
また、換気孔４Ｂは、台輪６０の両側面６０ａ，６０ｂに面した開口部４１Ｃと、開口部４１Ｃに連通し台輪本体６０内を貫通する換気通路部４２Ｃとを有し、換気通路部４２Ｃの両端部にそれぞれ接続された開口部４１Ｃは、開口縁に向かって、つまり台輪１の両側面６０ａ，６０ｂ側に向かって拡がるように形成されている。さらに、換気孔４Ｂの断面形状は四角形状、ここでは縦長の長方形となっている。このように換気孔４Ｂの断面形状が四角形状であるので、換気孔４Ｂを上下幅が同じの断面円状に形成した構成より、角部分の通気量が多くなり、その分の換気効率の向上を図ることができる。
【００５１】
上記台輪１Ｃの構成について詳細に説明する。
台輪本体６０は、台輪１Ｃの上下面を構成し、互いに離間して対向するように配置された板状の上面部材６１及び下面部材６２と、これら上下面部材６１，６２の間で、且つ上下面部材６１，６２に直交するように設けられた複数の仕切り壁部６３と、前記台輪本体６０を基礎（図４〜図６で示す基礎７）に固定する釘孔６５と、台輪本体６０の長手方向に細長い形状に形成されたアンカーボルト挿通用の貫通穴６６等とを備える。
上面部材６１及び下面部材６２の長手方向の両側縁部には、それぞれ側端縁に向かって下るテーパ部６９が設けられている。
【００５２】
複数の仕切り壁部６３は、複数の換気孔４Ｂの間に配置された状態となり、互いに平行に離間している。つまり、仕切り壁部６３は複数の換気孔４Ｂを仕切っており、台輪１Ｃの延在方向と直交する方向に延在する両側面で上下面部材６１，６２の内側面ととも換気孔４Ｂを囲む周壁面を形成している。
これら仕切り壁部６３において台輪本体６０の幅方向側の端部６３ａ、つまり換気孔４Ｂの開口部４１Ｃを構成する部位６３ａには、仕切り壁部６３の側面から端部６３ａの先端６３ｃに向かって下るテーパ部６７が設けられている。これにより仕切り壁部６３の端部６３ａは先端６３ｃに向かって先細りとなるように構成されている。
【００５３】
また、仕切り壁部６３に設けられたテーパ部６７によって換気孔４Ｂの開口部４１Ｃの外径（側面６０ａ，６０ｂに面する開口縁の径）Ｆは換気通路部４２Ｃの径Ｇより広く（図１４（ｂ）参照）なっており、換気通路部４２Ｃとの接続部分から台輪側面６０ａ，６０ｂに向かって左右方向に漸次拡がるように形成されている。
【００５４】
釘孔６５及びアンカーボルト用貫通穴６６は、それぞれ上述した釘孔５及びアンカーボルト用貫通穴６と同様の構成及び作用であるので説明は省略する。
【００５５】
また、前記台輪本体６０の両端部に設けられた接続部３Ａは、互いに接続可能に構成されており、上述した台輪１に対する接続部３と同様に構成され、その作用効果は同様のものである。
つまり、接続部３Ａには、上述した接続部３の構成と同様に、互いに嵌合可能な形状の被嵌合部３１と嵌合部３２とが幅方向に並んで設けられている。
被嵌合部３１は、台輪１の長手方向に向かって突出するように設けられ、台輪１の上下方向に延在する突条部（突部）３１ａを備える。また、嵌合部３２は、台輪の上下方向に延在し、前記突条部３１ａが嵌るように形成された溝部３２ａを備える。台輪１Ｃの両端部では、一方の接続部３Ａの被嵌合部３１と同一直線上に他方の接続部３Ａの嵌合部３２が配置され、一方の接続部３Ａの嵌合部３２と同一直線上に他方の接続部３の被嵌合部３１が配置されている。
【００５６】
よって、複数の台輪１Ｃを長手方向に接続する際に、隣接する一方の台輪１Ｃの接続部３Ａの被嵌合部３１が隣接する他方の台輪１Ｃの接続部３Ａの嵌合部３２と、また、一方の台輪１Ｃの嵌合部３２が一方の台輪１Ｃと隣接する他方の台輪１Ｃの被嵌合部３１と嵌合する。
そして、これら被嵌合部３１と嵌合部３２とが嵌合することにより、突条部３１ａと溝部３２ａとが嵌合し、基礎上において一方の台輪が他方の台輪に対して台輪の幅方向への移動が抑制される。
また、基礎上面に複数接続して敷き込む際に、接続部を介して接合される一方の台輪１Ｃの接続部に他の台輪１Ｃの接続部が対応しない場合でも、上下面を変更してこれら接続部どうしを嵌合接続することができる。よって、台輪１の設置作業の際に、先に基礎に固定された台輪１の接続部に対応させて、他の台輪の接続部を前記固定された台輪の接続部に嵌合して接続することができる。
【００５７】
また、この台輪１の上下面には、幅方向の中心で且つ、台輪の延在方向と平行な線状のマーキングＭ１が施され、台輪１の幅の中心位置が確認できるようになっている。
【００５８】
なお、図示しないが換気孔付き台輪１は構築される構造物基礎の全周に設けられ、台輪本体２の長さ４ｍあたりの換気孔４の換気有効面積が３００ｃｍ2以上となっている。
【００５９】
この実施の形態における台輪１Ｃでは、全長約９１６ｍｍ、台輪の両端部に延在方向と平行な直線上にそれぞれ配置された突条部３１ａの突出長さの半分の部位から溝部３２ａの深さの半分の部位までの長さが９１０ｍｍ、上下面部材６１，６２の厚み４ｍｍ、仕切り壁部６３の厚み４ｍｍ、換気孔４Ｂの開口部４１Ｃの左右幅（台輪の長手方向と平行な長さ）１１ｍｍ、換気孔４Ｂの換気通路部４２Ｃの左右幅７ｍｍとなっている。また、台輪１Ｃの上下の厚みは２４ｍｍや３０ｍｍとし、厚みが２４ｍｍの場合、換気孔４Ｂの開口部４１Ｃの上下の長さは１８ｍｍ、換気通路部４２Ｃの上下の長さは１６ｍｍとなる。換気通路部４２Ｃの左右幅が７ｍｍであるので、この換気孔４Ｂを介して外部から内部に子ハツカネズミが侵入することを防止できる（防鼠作用を有する）。これは一般的に子ハツカネズミの頭の大きさが８ｍｍ程度であるためである。
このような寸法で形成されていることにより台輪（厚み２４ｍｍ）１ピース、全長約９１６ｍｍで、表面の換気開口面積１２１ｃｍ2、換気通路部４２Ｃの断面積９１．６０ｃｍ2となっている。よって、台輪１Ｃどうしを接続し、台輪本体の長さ４ｍあたりの有効換気面積が３００ｃｍ2以上となり、台輪１Ｃを基礎上記敷き込んだ際に、台輪１Ｃ上部に設けられる構造物の長手方向の長さ４ｍ以下において、有効換気口面積３００ｃｍ2以上の面積を得ることができる。
【００６０】
また、上記台輪１，１Ａ，１Ｃの上下面を、基礎上に設置したり、また上面に構造物を載せた際に摩擦抵抗が増大するように処理して摩擦面としてもよい。
この一例を図１４に示す。図１４に示す台輪１Ｂは、上下面の形態のみ異なりその他の構成は、上述した台輪１と同様の構成である。したがって、台輪１と同様の構成要素については同符号を付して説明は省略する。
図１４に示す台輪１Ｂは、上下面部材２１，２２の外表面２１１，２２１が摩擦面となっているものである。これら上下面２１１，２２１の処理は台輪１を型で成形する際に同時に行う等して形成される。
このように台輪１Ｂの上下面２１１，２２１が摩擦面であれば、上述した台輪１と同様の効果を有することができるとともに、基礎と構造物本体（構造物本体を構成する部材など）との間に台輪１Ｂを配設した際に、上述した台輪１，１Ａと同様の効果を有することができるとともに、台輪上の構造物が台輪からずれることがなくなり、地震などに対する耐久性の向上を図ることができる。
【００６１】
【発明の効果】
請求項１記載の発明によれば、前記基礎上端に複数接続して敷き込んだ際に、隣接する台輪どうしが互いに接続部で嵌合して接続され、互いに幅方向に移動することがなくなり、前記基礎上端に複数連続して敷き込まれた際に、嵌合して接続された接続部の一方の接続部３を基礎上に固定するだけで、前記一方の接続部に嵌合して接続された他方の接続部も前記基礎に固定することができる。つまり、隣接する台輪の接続部どうしを嵌合して接続した状態で複数の台輪を前記基礎上に接続して敷き込んだ際に、嵌合して接続される接続部どうしにおいて一方の接続部を固定するだけで、敷き込まれた複数の台輪それぞれを幅方向に動かないように固定することができる。よって、基礎上に台輪を複数敷き込んで設置する際に、従来と異なり、敷き込まれた複数の台輪を台輪毎に基礎に固定する作業、つまり複数の台輪毎に２カ所釘を打ち込んで基礎に固定する作業の必要が無くなり、台輪の敷き込み作業の容易化及び工期の短縮化を図ることができる。
【００６２】
また、基礎上端に複数接続して敷き込む際に用いる台輪を全て同じ形状の台輪とし、それぞれを接続する際に、前記嵌合部と前記被嵌合部とを嵌合して、前記複数の台輪を前記基礎上に幅方向に移動しないように接続することができ、基礎上に複数敷き込む際に、同一形状の台輪を複数用意すればよく、接続部が異なる異形状の台輪を制作する必要が無くなり、コストの低廉化を図ることができる。
【００６３】
さらに、前記台輪本体の両端部の接続部には、長手方向に隣接する他の台輪本体の接続部の被嵌合部と嵌合部にそれぞれ嵌合して接続する前記嵌合部と前記被嵌合部とが幅方向に並んで配置されているので、台輪の接続部に他の台輪の両接続部のうちのどちらでも嵌合部と被嵌合部とを嵌合接続することで、台輪どうしを接続することができる。
【００６４】
請求項２記載の発明によれば、前記嵌合部は台輪本体の上下方向に延在する溝部を備え、前記被嵌合部は前記溝部に嵌る突部を備えるので、前記嵌合部と被嵌合部とが嵌合した際に、前記溝部に前記突部が嵌合して、これら溝部及び突部を有する嵌合部及び被嵌合部の一方に対する幅方向の移動が抑止される。
したがって、前記嵌合部に、台輪本体の上下方向に延在する溝部を形成し、前記被嵌合部に前記溝部に嵌る突部を形成するだけで、つまり、簡易な構造で、接続部どうしを接続して基礎上に複数の台輪を接続した際に、台輪を幅方向に移動しないように接続することができる。
【００６５】
請求項２記載の台輪によれば、台輪本体をその幅方向に貫通する換気孔によって換気を行うことができるため、通常は基礎部分に設けられる床下換気孔を省略することができる。よって、基礎工事の手間が簡略化される。
【００６６】
請求項３記載の発明によれば、隣接する台輪どうしは接続部どうしを嵌合することで接続され、嵌合した接続部のうちの一方が前記基礎に固定されているので、嵌合した接続部のうちの他方が基礎に固定された状態となり、従来と異なり、基礎上に複数接続されて敷き込まれたそれぞれの台輪を別個に基礎に固定する必要がなくなり、台輪の設置作業を容易に且つ短期間で行うことができる。
【００６７】
請求項４記載の発明によれば、基礎の長手方向に沿って複数接続して敷き込まれた台輪どうしの嵌合する接続部のうちの一方を前記基礎上面に固定するので、前記一方の接続部を基礎上面に固定することができるとともに、前記一方の接続部に幅方向に移動しないように嵌合して接続された他の接続部を固定することができる。よって、基礎上面に複数の台輪を接続して敷き込み、これら台輪を基礎上面に固定する際に、従来と異なり、台輪毎に、それぞれ台輪の両端部を釘などで基礎に固定する作業を行う必要がなく、接続された台輪のそれぞれにおいて一方の接続部のみを固定すれば、接続された複数の台輪をそれぞれ幅方向に動かない状態で基礎に設置することができる。
【図面の簡単な説明】
【図１】本発明の換気孔付き台輪の一実施の形態例の構成を示す図である。
【図２】本発明の換気孔付き台輪の一実施の形態例の構成を示す図である。
【図３】本発明の換気孔付き台輪の一実施の形態例の構成を示す図である。
【図４】本発明に係る換気孔付き台輪を介して、基礎と壁とを接合した状態を示す縦断面図である。
【図５】基礎の上端に台輪が基礎の長手方向に沿って複数接続して敷き込まれた状態を示す斜視図である。
【図６】基礎の長手方向に沿って配置された複数の台輪の平面図である。
【図７】図６において、隣接する台輪どうしの嵌合して接続された接続部の拡大平面図である。
【図８】建物の基礎上に配置された台輪を示す配置図である。
【図９】基礎上に換気孔付き台輪を敷き込んだ状態を示す図である。
【図１０】本発明に係る換気孔付き台輪の変形例を示す図であり、（ａ）は本変形例の台輪１Ａの平面図であり、（ｂ）は同台輪の側面図、（ｃ）は同台輪の正面図である。
【図１１】本発明に係る換気孔付き台輪の変形例を示す図であり、（ａ）は同台輪の両端の接続部を示す図であり図１０（ｃ）のＤ−Ｄ線断面図、（ｂ）は同台輪の両端の接続部の拡大側面図である。
【図１２】本発明に係る換気孔付き台輪の変形例を示す図であり、（ａ）は台輪本体に設けられた釘孔の側断面図、図１２（ｂ）は換気孔の縦断面図である。
【図１３】本発明に係る台輪の変形例２を示し、（ａ）は変形例２示す台輪の平面図であり、（ｂ）は同台輪の側面図、（ｃ）は同台輪の正面図である。
【図１４】同台輪の変形例２を示し、（ａ）は同台輪の両端の接続部を示す図であり図１３（ｃ）のＥ−Ｅ線断面図、（ｂ）は同台輪の両端の接続部の拡大側面図である。
【図１５】本発明に係る換気孔付き台輪の変形例の他の例を示す図である。
【図１６】従来の台輪の斜視図である。
【符号の説明】
１      台輪
２      台輪本体
３      接続部
４      換気孔
７      基礎
３１      被嵌合部
３１ａ    突条部（突部）
３２      嵌合部
３２ａ    溝部
【図１】
0004589502.tif 000002
【図２】
0004589502.tif 000003
【図３】
0004589502.tif 000004
【図４】
0004589502.tif 000005
【図５】
0004589502.tif 000006
【図６】
0004589502.tif 000007
【図７】
0004589502.tif 000008
【図８】
0004589502.tif 000009
【図９】
0004589502.tif 000010
【図１０】
0004589502.tif 000011
【図１１】
0004589502.tif 000012
【図１２】
0004589502.tif 000013
【図１３】
0004589502.tif 000014
【図１４】
0004589502.tif 000015
【図１５】
0004589502.tif 000016
【図１６】
0004589502.tif 000017